(57)【要約】【課題】弾球遊技機において、遊技者にとって耳障りな音が発生するのを防止する。【解決手段】パチンコ機１においては、リリース部材２４ａが、揚球装置２２によって遊技領域２１の上方へ移送された遊技球を解放して遊技領域２１に転動させる。なお、リリース部材２４ａから解放された遊技球は、可動樋２４ｂに誘導されて遊技領域２１に放出されるが、可動樋２４ｂの傾斜によりリリース部材２４ａに解放された遊技球が遊技領域２１に至るまでの経路を変化させることができる。したがって、従来の弾球遊技機のような、遊技球を発射して遊技盤の遊技領域に打ち出すための構成（発射装置、発射レール、ガイドレールなど）が不要となる。また、上記構成を備えない分だけ遊技領域２１下方の内部構造を単純化することができる。【選択図】図２
2014079269.tif 000002
【特許請求の範囲】
【請求項１】
遊技盤と前記遊技盤の前方に配された透明板との間に形成される遊技領域に遊技球を転動させることで遊技を行う弾球遊技機であって、
遊技球を前記遊技領域の上方へ移送する遊技球移送手段と、
前記遊技球移送手段によって前記遊技領域の上方へ移送された遊技球を解放して前記遊技領域に転動させる遊技球解放手段と、を備えること
を特徴とする弾球遊技機。
【請求項２】
請求項１に記載の弾球遊技機において、
前記遊技球解放手段によって解放された遊技球が前記遊技領域に至るまでの経路を変化させる到達経路変更手段を備えること
を特徴とする弾球遊技機。
【請求項３】
請求項１または請求項２に記載の弾球遊技機において、
前記遊技領域に転動した遊技球を回収して前記遊技球移送手段に供給する遊技球回収手段を備えること
を特徴とする弾球遊技機。
【請求項４】
請求項１〜請求項３の何れか１項に記載の弾球遊技機において、
前記遊技球移送手段によって前記遊技領域の上方へ移送された遊技球を前記遊技球解放手段に供給する前に一時貯留する遊技球貯留手段を備えること
を特徴とする弾球遊技機。
【発明の詳細な説明】
【技術分野】
【０００１】
本発明は、パチンコ機等の弾球遊技機の技術分野に属する。
【背景技術】
【０００２】
パチンコ機等の弾球遊技機では、発射装置にて遊技球を発射して遊技盤の遊技領域に打ち出し、その遊技球の遊技領域における挙動によって遊技が行われる。
遊技球を打ち出すための発射装置は、モータやソレノイドを駆動源として打球部材を前後進させて、その前進時に発射レール上の遊技球を打撃する構造を有するものが多用されている（例えば特許文献１参照）。
【先行技術文献】
【特許文献】
【０００３】
【特許文献１】特開２００２―１９１７７４号公報
【発明の概要】
【発明が解決しようとする課題】
【０００４】
しかし、上述のような弾球遊技機においては、発射装置の打球部材が発射レール上の遊技球を打撃する際に打撃音が発生するとともに、打球部材によって打撃された遊技球が発射レールおよびガイドレール上を移動する際に摩擦音が発生するため、これらの音が遊技者にとって耳障りとなっていた。
【０００５】
本発明は、このような課題に鑑みなされたものであり、その目的とするところは、弾球遊技機において、遊技者にとって耳障りな音が発生するのを防止することにある。
【課題を解決するための手段】
【０００６】
上記課題を解決するためになされた請求項１に係る弾球遊技機は、遊技盤と前記遊技盤の前方に配された透明板との間に形成される遊技領域に遊技球を転動させることで遊技を行う弾球遊技機であって、遊技球を前記遊技領域の上方へ移送する遊技球移送手段と、前記遊技球移送手段によって前記遊技領域の上方へ移送された遊技球を解放して前記遊技領域に転動させる遊技球解放手段と、を備えることを特徴とする弾球遊技機。
【０００７】
このように構成された本発明の弾球遊技機によれば、遊技球解放手段が、遊技球移送手段によって遊技領域の上方へ移送された遊技球を解放して遊技領域に転動させるので、従来の弾球遊技機のような、遊技球を発射して遊技盤の遊技領域に打ち出すための構成（発射装置、発射レール、ガイドレールなど）が不要となる。
【０００８】
したがって、本発明の弾球遊技機によれば、発射装置の打球部材が遊技球を打撃する打撃音や、打球部材によって打撃された遊技球が発射レールおよびガイドレール上を移動する摩擦音といった遊技者にとって耳障りな音が発生しない。
【０００９】
また、本発明の弾球遊技機によれば、上記構成を備えない分だけ遊技領域下方の内部構造を単純化することができる。
請求項２に係る弾球遊技機は、請求項１に記載の弾球遊技機において、前記遊技球解放手段によって解放された遊技球が前記遊技領域に至るまでの経路を変化させる到達経路変更手段を備えることを特徴とする。
【００１０】
このように構成された本発明の弾球遊技機によれば、到達経路変更手段が、遊技球解放手段によって解放された遊技球が遊技領域に至るまでの経路を変化させるので、遊技者の興趣および射幸心を高めることができる。
【００１１】
請求項３に係る弾球遊技機は、請求項１または請求項２に記載の弾球遊技機において、前記遊技領域に転動した遊技球を回収して前記遊技球移送手段に供給する遊技球回収手段を備えることを特徴とする。
【００１２】
このように構成された本発明の弾球遊技機によれば、遊技球回収手段が、遊技領域に転動した遊技球を回収して遊技球移送手段に供給するので、当該弾球遊技機内で遊技球を循環させて使用できる。
【００１３】
請求項４に係る弾球遊技機は、請求項１〜請求項３の何れか１項に記載の弾球遊技機において、前記遊技球移送手段によって前記遊技領域の上方へ移送された遊技球を前記遊技球解放手段に供給する前に一時貯留する遊技球貯留手段を備えることを特徴とする。
【００１４】
このように構成された本発明の弾球遊技機によれば、遊技球貯留手段が、遊技球移送手段によって遊技領域の上方へ移送された遊技球を遊技球解放手段に供給する前に一時貯留するので、遊技球解放手段に対して遊技球を連続して供給することができる。
【図面の簡単な説明】
【００１５】
【図１】実施形態のパチンコ機１の正面図である。
【図２】実施形態のパチンコ機１の内観図である。
【発明を実施するための形態】
【００１６】
以下に本発明の実施形態を図面とともに説明する。なお、本発明はこの実施形態に限定されるものではなく、様々な態様にて実施することが可能である。
図１に示すように、弾球遊技機の一種であるパチンコ機１の前面部には、盤面窓枠２が配されている。
【００１７】
盤面窓枠２は、外枠３に保持された中枠４に取り付けられている。より具体的には、盤面窓枠２はヒンジ５ａ，５ｂにて中枠４に軸支され、扉状に開閉できる。また、盤面窓枠２にはハンドル２ｃが取り付けられている。
【００１８】
また、盤面窓枠２には窓７が設けられ、その周辺に電飾８が配されている。また、盤面窓枠２には、窓７を閉塞するためのガラス板７ａが窓７の背後に装着される。そして、盤面窓枠２の背後の窓７に臨んだ位置には、中枠に保持された遊技盤９が配されている。
【００１９】
遊技盤９は、透明な合成樹脂（本実施例ではポリカーボネート）製である。この遊技盤９には、ガイドレール１１、複合入賞装置１２、ゲート１３、大入賞口１４、普通入賞口１５、庇部材１６、ステージ１７等が取り付けられ、遊技釘１８や風車１９が打ち付けられている。また、遊技盤９の下部には、アウト球となった遊技球を遊技盤９の裏側に誘導するための開口部９ａと、開口部９ａから遊技盤９の裏側に誘導された遊技球を遊技盤９の表側に再び誘導する開口部９ｂとが形成されている（図２参照）。
【００２０】
複合入賞装置１２は、可変入賞装置１２ａおよび始動入賞口１２ｂを備え、可変入賞装置１２ａまたは始動入賞口１２ｂに入賞した場合には大当たり抽選が行われ、これに応じて表示装置（図示省略）にて図柄の変動表示がなされる。大当たり抽選が当たりであれば、図柄の変動表示に続いて表示装置にて大当たり図柄の確定表示が行われる。その大当たり図柄の確定表示がなされると大当たり遊技の開始となって大入賞口１４が開放される。
【００２１】
また、可変入賞装置１２ａが閉鎖状態（図示の状態）にあるときには、可変入賞装置１２ａの上方にある始動入賞口１２ｂによって可変入賞装置１２ａへの入賞を阻まれる（可変入賞装置１２ａへは、開放時しか入賞できない）。この可変入賞装置１２ａは、その左右に配されているゲート１３に遊技球が進入したことに起因する抽選で当たりになると開放される。
【００２２】
また、庇部材１６とステージ１７とに挟まれた主表示領域２０には、遊技釘１８が打ち付けられておらず、他の装置類も配されていない。この主表示領域２０は、遊技盤９の背後に配された表示装置による図柄の変動表示や、背景画像やキャラクタ等の画像の表示を良好に視認させるための領域である。
【００２３】
ところで、パチンコ機１は、内部に封入された遊技球を遊技盤９と遊技盤９の前方に配されたガラス板７ａとの間に形成される遊技領域２１に投下して遊技を行い、遊技を終えた遊技球を回収して循環使用する機能を有している。
【００２４】
そのため、パチンコ機１は、図２に示すように、揚球装置２２、遊技球タンク２３、リリース装置２４、などを備える。以下、順に説明する。
揚球装置２２は、正面から見て遊技盤９の右側に配置され、無端ベルト２２ａが上下のローラ２２ｂ，２２ｃに掛け渡されて正面から見て反時計回りに循環するよう構成されている。そして、上下のローラ２２ｂ，２２ｃはそれぞれモータ（図示省略）により回転駆動される。
【００２５】
また、揚球装置２２はカバー２２ｄおよび誘導樋２２ｅを備える。カバー２２ｄは、上下のローラ２２ｂ，２２ｃに掛け渡された無端ベルト２２ａの周囲（遊技盤９側を除く）に、遊技球を挟むことが可能な距離を保ちながら配置されている。また、誘導樋２２ｅは、右下がりに傾斜する姿勢で遊技領域２１の下端に配置された樋であり、左端が開口部９ｂから排出された遊技球を受け止める位置に配置されるとともに、右端がカバー２２ｄの下端に接続する位置に配置されている。
【００２６】
そして、揚球装置２２においては、開口部９ｂから排出された遊技球を誘導樋２２ｅがカバー２２ｄの下端に誘導し、誘導された遊技球を回転する無端ベルト２２ａとカバー２２ｄとの間に挟んで回転させながら、遊技領域２１の上方へ移送するようになっている。
【００２７】
なお、揚球装置２２は遊技球移送手段に該当する。また、誘導樋２２ｅが遊技盤９の開口部９ａ，９ｂとともに遊技球回収手段に該当する。
遊技球タンク２３は、揚球装置２２によって遊技領域２１の上方に移送された遊技球をリリース装置２４に供給する前に一時貯留するための構成であり、遊技球が一列に整列した状態で内部を移動可能な筒状の筒状体が上下方向に複数段（本実施形態では４段）に折り畳まれた構造を有している。
【００２８】
また、遊技球タンク２３の右側上部には、遊技球を受け入れるための開口部２３ａが形成されている。また、遊技球タンク２３の右側下部には、遊技球を排出するための開口部２３ｂが形成されている。
【００２９】
また、開口部２３ａとカバー２２ｄ上端との間には誘導樋２３ｃが配置されている。この誘導樋２３ｃは、揚球装置２２によって運び上げられた遊技球を開口部２３ａに誘導する。
【００３０】
なお、遊技球タンク２３は遊技球貯留手段に該当する。
リリース装置２４は、リリース部材２４ａおよび可動樋２４ｂを備える。
リリース部材２４ａは、遊技球を係止可能な凹形状の部材であり、開口部２３ｂに対向する位置に配置されている。リリース部材２４ａは、ソレノイド２４ｃによって回動可能になっており、ハンドル２ｃのリリーススイッチ（図示省略）を操作すると、ソレノイド２４ｃの往復動作により、凹状部分が開口部２３ｂに対向する際には開口部２３ｂから排出された遊技球を係止し、凹状部分が下方に向く際には遊技球を解放する動作を行うようになっている。なお、リリース部材２４ａは、リリーススイッチを操作しないときには、凹状部分が開口部２３ｂに対向する位置で停止する。
【００３１】
なお、リリース部材２４ａは遊技球解放手段に該当する。
可動樋２４ｂは、左下がりに傾斜する姿勢でリリース部材２４ａの下方に配置された樋状の部材であり、回転軸２４ｄを中心に回動可能になっており、ハンドル２ｃを時計回りに回すと可動樋２４ｂが時計回りに回動して傾斜が緩やかになり、ハンドル２ｃを反時計回りに回すと可動樋２４ｂが反時計回りに回動して傾斜が急になる。そして、可動樋２４ｂは、リリース部材２４ａから解放された遊技球を誘導して遊技領域２１に放出するが、  可動樋２４ｂの傾斜によりリリース部材２４ａに解放された遊技球が遊技領域２１に至るまでの経路を変化させることができる。
【００３２】
なお、可動樋２４ｂは到達経路変更手段に該当する。
このように本実施形態のパチンコ機１によれば、リリース部材２４ａが、揚球装置２２によって遊技領域２１の上方へ移送された遊技球を解放して遊技領域２１に転動させるので、従来の弾球遊技機のような、遊技球を発射して遊技盤の遊技領域に打ち出すための構成（発射装置、発射レール、ガイドレールなど）が不要となる。
【００３３】
したがって、本実施形態のパチンコ機１によれば、従来の弾球遊技機のような、発射装置の打球部材が遊技球を打撃する打撃音や、打球部材によって打撃された遊技球が発射レールおよびガイドレール上を移動する摩擦音といった遊技者にとって耳障りな音が発生しない。
【００３４】
また、本実施形態のパチンコ機１によれば、上記構成を備えない分だけ遊技領域２１下方の内部構造を単純化することができる。
また、本実施形態のパチンコ機１によれば、可動樋２４ｂが、リリース部材２４ａによって解放された遊技球が遊技領域２１に至るまでの経路を変化させるので、遊技者の興趣および射幸心を高めることができる。
【００３５】
また、本実施形態のパチンコ機１によれば、アウト球となった遊技球を開口部９ａが遊技盤９の裏側に誘導し、開口部９ａから遊技盤９の裏側に誘導された遊技球を遊技盤９の表側に再び誘導して開口部９ｂから排出し、開口部９ｂから排出された遊技球を誘導樋２２ｅが揚球装置２２に供給するので、当該パチンコ機１内で遊技球を循環させて使用できる。
【００３６】
また、本実施形態のパチンコ機１によれば、遊技球タンク２３が、揚球装置２２によって遊技領域２１の上方へ移送された遊技球をリリース部材２４ａに供給する前に一時貯留するので、リリース部材２４ａに対して遊技球を連続して供給することができる。
【符号の説明】
【００３７】
１…パチンコ機、２…盤面窓枠、２ｃ…ハンドル、３…外枠、４…中枠４、５ａ，５ｂ…ヒンジ、７…窓、７ａ…ガラス板、８…電飾、９…遊技盤、９ａ，９ｂ…開口部、１１…ガイドレール、１２…複合入賞装置、１２ａ…可変入賞装置、１２ｂ…始動入賞口、１３…ゲート、１４…大入賞口、１５…普通入賞口、１６…庇部材、１７…ステージ、１８…遊技釘、１９…風車、２０…主表示領域、２１…遊技領域、２２…揚球装置、２２ａ…無端ベルト、２２ｂ，２２ｃ…ローラ、２２ｄ…カバー、２２ｅ…誘導樋、２３…遊技球タンク、２３ａ，２３ｂ…開口部、２３ｃ…誘導樋、２４…リリース装置、２４ａ…リリース部材、２４ｂ…可動樋、２４ｃ…ソレノイド、２４ｄ…回転軸
【図１】
2014079269.tif 000003
【図２】
2014079269.tif 000004